(57)【要約】【課題】  コスト高を回避できると共にユーザによるキー誤操作を回避できる電話装置のハンドセットを提供する。【解決手段】  ハンドセット２００に搭載されたキーは、通話を開始指示するための通話キー２０１と、通話を終了指示するための切キー２０２の２つのキーのみであり、ハンドセット２００はスピーカ２０３が配置された平面部５、中央部分の溝部２０６スピーカが配置されている傾斜部２０７の３つの部位からなり、ユーザが挟持し易い構造となっている。【選択図】  図２
2010035064.tif 000002
【特許請求の範囲】
【請求項１】
通話相手の発する音声を出力するスピーカと、ユーザの発する音声を入力する為のマイクと、通話を開始する為の通話開始キーと、通話を終了する為の通話終了キーと、を有したハンドセットであり、
ハンドセットの両端夫々に前記スピーカと前記マイクとが夫々配置され前記スピーカと前記マイクとの間の筐体表面上に配置されるキーは、前記通話開始キーと前記終話キーのみであることを特徴とするハンドセット。
【請求項２】
通話相手の発する音声を出力するスピーカと、ユーザの発する音声を入力する為のマイクと、通話を開始する為の通話開始キーと、通話を終了する為の通話終了キーと、を有したハンドセットであり、
ハンドセットの両端夫々に前記スピーカと前記マイクとが夫々配置され、前記ハンドセットの略中央部分に前記通話キーと前記切キーとが配置され、前記スピーカと前記マイクとの間の筐体表面上に配置されるキーは、前記通話開始キーと前記終話キーのみであることを特徴とするハンドセット。
【請求項３】
通話相手の発する音声を出力するスピーカと、ユーザの発する音声を入力する為のマイクと、通話を開始する為の通話開始キーと、通話を終了する為の通話終了キーと、を有したハンドセットであり、
前記ハンドセットは断面が「へ」の字状であり、ハンドセットの両端夫々に前記スピーカと前記マイクとが夫々配置され前記スピーカと前記マイクとの間の筐体表面上に配置されるキーは、前記通話開始キーと前記終話キーのみであることを特徴とするハンドセット。
【請求項４】
通話相手の発する音声を出力するスピーカと、ユーザの発する音声を入力する為のマイクと、通話を開始する為の通話開始キーと、通話を終了する為の通話終了キーと、を有したハンドセットであり、
前記ハンドセットは断面が「へ」の字状であり、ハンドセットの両端夫々に前記スピーカと前記マイクとが夫々配置され、前記ハンドセットの中央の窪み部分に前記通話キーと前記切キーとが配置され、前記スピーカと前記マイクとの間の筐体表面上に配置されるキーは、前記通話開始キーと前記終話キーのみであることを特徴とするハンドセット。
【発明の詳細な説明】
【技術分野】
【０００１】
本発明は、コードレス電話装置や留守番電話装置等に設けられたハンドセットに関する。
【背景技術】
【０００２】
従来の留守番電話装置では、留守番電話装置本体にカールコードを介してハンドセットが接続された構成であった（特許文献１）。このような留守番電話装置では、ユーザが通話を行う度にカールコードがからまるという問題が生じていた。
【０００３】
そこで、ハンドセットと留守番電話装置本体を無線で接続可能にすることにより、カールコードがなくともユーザがハンドセットで通話を可能にした所謂コードレス電話装置が製品化され、又コードレス電話に関する技術も数多く提案されている（特許文献２）。
【特許文献１】特開平９−２８４３６９号
【特許文献２】特開平９−１４９１０６号
【発明の開示】
【発明が解決しようとする課題】
【０００４】
特許文献２に記載のようなコードレス電話装置では、親機とハンドセット共にキー操作部が存在する。このようなコードレス電話装置では、ユーザが発呼を行う際には、以下の３通りの方法で発呼を行うことが可能である。まず１つめの方法は、ユーザがハンドセットを親機から持ち上げた後に親機のキー操作部からダイヤル番号を入力することにより発呼を行う方法である。次に２つめの方法は、ユーザが親機からダイヤル番号を入力した後にハンドセットを親機から持ち上げることにより発呼を行う方法である。３つめの方法は、ユーザがハンドセットを親機から持ち上げた後にハンドセットのキー操作部からダイヤル番号を入力することにより発呼を行う方法である。
【０００５】
このように３とおりの発呼方法があるが、親機のキー操作部のキーが大きい為に操作がし易いという理由から、特に高齢者や電話機の操作になれていないユーザは、親機のキー操作部を用いて電話番号を入力する場合が多い。
【０００６】
それでは、せっかくハンドセットにキー操作部を搭載しても無駄になってしまうだけでなく電話機のコストアップに繋がる。また、ユーザが誤ってハンドセットのキーを押下する場合もある。かと言って、従来のキーを搭載していないカールコード付のハンドセットでは、カールコードが邪魔になり、ユーザにとって使い勝手が悪くなるという課題が生じてしまう。
【０００７】
このような経緯から、本出願人は、電話機のコストアップが回避できると共にユーザにとって使い勝手の良い電話装置のハンドセットを設計するに到った。
【課題を解決するための手段】
【０００８】
請求項１記載の発明は、通話相手の発する音声を出力するスピーカと、ユーザの発する音声を入力する為のマイクと、通話を開始する為の通話開始キーと、通話を終了する為の通話終了キーと、を有したハンドセットであり、ハンドセットの両端夫々に前記スピーカと前記マイクとが夫々配置され前記スピーカと前記マイクとの間の筐体表面上に配置されるキーは、前記通話開始キーと前記終話キーのみであることを特徴とする。
請求項２記載の発明は、通話相手の発する音声を出力するスピーカと、ユーザの発する音声を入力する為のマイクと、通話を開始する為の通話開始キーと、通話を終了する為の通話終了キーと、を有したハンドセットであり、ハンドセットの両端夫々に前記スピーカと前記マイクとが夫々配置され、前記ハンドセットの略中央部分に前記通話キーと前記切キーとが配置され、前記スピーカと前記マイクとの間の筐体表面上に配置されるキーは、前記通話開始キーと前記終話キーのみであることを特徴とする。
請求項３記載の発明は、通話相手の発する音声を出力するスピーカと、ユーザの発する音声を入力する為のマイクと、通話を開始する為の通話開始キーと、通話を終了する為の通話終了キーと、を有したハンドセットであり、前記ハンドセットは断面が「へ」の字状であり、ハンドセットの両端夫々に前記スピーカと前記マイクとが夫々配置され前記スピーカと前記マイクとの間の筐体表面上に配置されるキーは、前記通話開始キーと前記終話キーのみであることを特徴とする。
請求項４記載の発明は、通話相手の発する音声を出力するスピーカと、ユーザの発する音声を入力する為のマイクと、通話を開始する為の通話開始キーと、通話を終了する為の通話終了キーと、を有したハンドセットであり、前記ハンドセットは断面が「へ」の字状であり、ハンドセットの両端夫々に前記スピーカと前記マイクとが夫々配置され、前記ハンドセットの中央の窪み部分に前記通話キーと前記切キーとが配置され、前記スピーカと前記マイクとの間の筐体表面上に配置されるキーは、前記通話開始キーと前記終話キーのみであることを特徴とする。
【発明の効果】
【０００９】
本発明では、ハンドセットに搭載されているキーは通話開始を指示するための通話キーと通話の終了を指示するための切キーの２つのキーのみであるため、電話装置のコストを低減することができるだけでなく、ユーザによるキーの誤操作を回避することが可能である。
又、ハンドセットの中央部分は窪んだ形状となっている為に、ユーザは親指と手のひらで容易にハンドセットを挟持することが可能であるだけでなく、ハンドセットの中央部分にはテンキーが配置されていない為、ユーザによるキーの誤操作を回避することが可能である。
【００１０】
請求項１記載の発明によれば、ハンドセットに搭載されているキーが通話キーと切キーの２つのキーのみである為に電話装置のコストを低減することが可能である。
【００１１】
請求項２記載の発明によれば、ハンドセットの中央部分に搭載されているキーが通話キーと切キーの２つのキーのみである為にユーザによるキーの誤操作を回避することが可能である。
【００１２】
請求項３及び４に記載の発明によれば、ハンドセットの断面が「へ」の字状であるためにユーザがハンドセットを挟持し易いだけでなく、ハンドセットの中央部分に搭載されているキーが通話キーと切キーの２つのキーのみである為にユーザによるキーの誤操作を回避することが可能である。
【発明を実施するための最良の形態】
【００１３】
以下に本発明を適用してなる実施例装置を図面を参照しながら説明する。尚、ここで示す実施形態は一例であり、本発明はここに示す実施形態に限定されるものではない。又、本実施例では、コードレス電話のハンドセットではなく、コードレス電話機能付ファクシミリ装置を例に説明する。
【００１４】
図１は本実施例装置の外観図である。図１に示すように本実施例装置は親機１００とハンドセット２００とからなり、親機１００には表示部５、操作部４等が搭載されている。親機１００に搭載されているキーとしては、例えば、テンキー４１、カーソルを上下左右に移動（項目を決定）し決定する為のファンクションキー４２、ファクスやコピーの開始を指示するためのファクス／コピーキー４３、ストップキー４４等を有している。又、図示していないが、ハンドセット２００を充電するための充電端子を搭載している。ハンドセット２００を親機１００に載置することによりハンドセット２００のバッテリを充電可能である。
【００１５】
図１の紙面左側には、ハンドセット２００の正面図と側面図を記載している。ハンドセット２００には、スピーカ２０３、マイク２０４、通話キー２０１、切キー２０２が搭載されている。又、ハンドセット２００には充電端子（図示せず）が搭載されている。
【００１６】
図２（ａ）はハンドセット２００の正面図であり、図２（ｂ）は側面図である。図２（ａ）に示すように、ハンドセット２００の上側には通話相手側からの音声を出力する為のスピーカ２０３が、ハンドセット２００の下側にはハンドセット２００のユーザからの声を入力する為のマイク２０４が搭載されている。これらスピーカ２０３とマイク２０４は、ユーザがハンドセット２００を使用する際に、ユーザの耳と口が近くに位置するように配置されている。
【００１７】
図２（ｂ）に示すように、ハンドセット２００は３つの部位を有し、スピーカが搭載され耳を当接する為に表面が平面である平面部２０５と、ユーザがハンドセット２００を挟持する際に親指と手のひらでハンドセット２００を挟持する為の溝部２０６と、傾斜部２０７とが存在する。ハンドセット２００に溝部２０６が存在することにより、ユーザは親指と手のひらでハンドセットを挟持し易くなっている。
第３図は、本発明をファクシミリ装置に適用してなる実施例の全体構成を示すブロック図である。この実施例にかかるファクシミリ装置は、内部にＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのワークメモリやレジスタなどを有し、各種ファクシミリ機能動作を司るファクシミリ機能制御装置１を備える。
このファクシミリ機能制御装置１は、ＲＯＭ（Ｒｅａｄ  Ｏｎｌｙ  Ｍｅｍｏｒｙ）２と接続され、ＲＯＭ２に予め格納されている制御プログラムなどのプログラムに基づいて動作し、後述する各回路の動作を制御する。
また、このファクシミリ機能制御装置１は、上記ＲＯＭ２に格納されているプログラムに基づいて、以下で説明する各種ファクシミリ機能の動作を行う。すなわち、ＲＯＭ２から読み出されたプログラムに基づき、ファクシミリ機能である符号化・復号化処理、モデムの変復調処理などの処理動作を行う各演算処理が行われる。尚、これら演算処理の機能はファクシミリ機能制御装置１が有している。例えば演算処理による動作がモデム動作の場合には、モデム処理部というように表現しているが、実際にはプログラムによる演算処理であり、そのような具体的回路が存在するわけではない。
フラッシュメモリ３には、受信したファクシミリデータや電話帳メモリ等のデータが格納される。
ファクシミリ機能制御装置１に接続される操作部４は、ダイヤル入力や文字入力を行う為のテンキー４１、上記フラッシュメモリ３に格納された相手先を選択する為のファンクションキー４２、ファクシミリ送信開始指示を行う為のファクス／コピーキー４３、動作の中止を指示するためのストップキー４４等を有する。
ファクシミリ機能制御装置１に接続される表示部５は、例えば、液晶表示装置からなり、上記操作部４から入力された電話番号や、上記フラッシュメモリ３に格納された相手先氏名や、該相手先氏名に対応する電話番号及びファックス番号等を表示する。尚、着信時に発呼側から電話番号の情報が送られてきた際には、送られてきた電話番号又は、この電話番号が上記フラッシュメモリ３に格納されているときには上記電話番号に対応する相手先氏名を表示する。
【００１８】
ファクシミリ機能制御装置１に接続される印字部６は、サーマルプリンタ、インクジェットプリンタやレーザプリンタで構成され、送信されてきたイメージデータあるいは後述
する読取部７で読み取ったイメージデータを印字し、出力する。
ファクシミリ機能制御装置１に接続される読取部７は、例えばＣＣＤ（Ｃｈａｒｇｅ  Ｃｏｕｐｌｅｄ  Ｄｅｖｉｃｅ）等からなる光学的読取装置を有しており、原稿上に描かれた画情報を読み取ると共に、読み取るべき原稿の有無（読取位置への原稿のセット状態）を検出する。
フック検出部１８は、ハンドセット８のオンフック、オフフック状態を検出し、そのフック状態をファクシミリ機能制御装置１に知らせる。前記フック検出部１８はハンドセットの充電端子（図示せず）の電圧の変化により前記ハンドセット８のオンフック、オフフックを検出するものである。
クロスポイントＩＣ回路１１は、ファクシミリ機能制御装置１の制御に基づいて、回線２０、ハンドセット８、ＤＡＣ回路１５間の信号経路の切り替えを行うものである。このクロスポイントＩＣ回路１１は、例えば、ハンドセット２００からの音声信号を回線２０に与えたり、また、回線２０からの音声信号をハンドセット２００へ与えるなど信号経路の切り替えを行う。
ＤＡＣ回路１５は、クロスポイントＩＣ回路１１から与えられたアナログの音声信号をデジタル信号に変換して、ファクシミリ機能制御装置１に与え、また、ファクシミリ機能制御装置１からのデジタル信号をアナログ信号に変換し、クロスポイントＩＣ回路１１を介して、回線Ｌや本体のスピーカ１６へアナログ音声信号を与える。本体に設けられたスピーカ１６、マイク１７は、操作部４のキー操作により、ハンズフリー動作による送受話動作を行う場合に用いられる。ハンズフリー動作による送受話動作は、回線Ｌから入力された音声信号が、スイッチ１２，クロスポイントＩＣ回路１１、ＤＡＣ回路１５を経てファクシミリ機能制御装置１に入力され、ファクシミリ機能制御装置１内のアンプで増幅され、ＤＡＣ回路１５，クロスポイントＩＣ回路１１を介してスピーカ１６から出力される。一方、マイク１７から入力された音声信号は、クロスポイントＩＣ回路１１、ＤＡＣ回路１５を経てファクシミリ機能制御装置１内に入力され、ファクシミリ機能制御装置１内でゲインを調整した後、ＤＡＣ回路１５、クロスポイントＩＣ回路１１、スイッチ１２を介して回線Ｌへと出力される。
着信検出部１４は、回線Ｌからの着信信号の有無を検出し、その結果をファクシミリ機能制御装置１に通知する。
送受信部２０はアンテナ１９と接続されており、子機２００との無線信号の送受信を行う。
ファクシミリ機能制御装置１は、図５に示すように、全体を制御するためのＣＰＵ１０１を備え、Ｉ／Ｏポート１０２を介してＲＯＭ２から与えられるプログラムに基づき、各種動作における処理部を構成する。Ｉ／Ｏポート１０２は、複数の入力端子と複数の出力端子を備え、このＩ／Ｏポート１０２を介して前述した各回路とファクシミリ機能制御装置１が接続される。
ファクシミリ機能制御装置１の画処理部１０３は、ファクシミリ機能制御装置１に接続された読取部７を駆動するためのクロック信号の送出、画情報の入出力、画情報の２値化、多値化処理を行う。読取部７からＩ／Ｏポート１０２を介して入力された画信号は画処理部１０３から符号化・復号化部１０７に与えられ、符号化・復号化部１０７にて、ＭＨ、ＭＲ、ＭＭＲなどの圧縮信号に符号化され、モデム１０８を介して送信処理動作を経て回線に送出される。また、コピー動作時には、読取部７からＩ／Ｏポート１０２を介して入力された画信号は画処理部１０３から印字制御部１０４を介して印字部６に与えられ、印字部６で画情報が印字される。
印字制御部１０４は、印字部６を駆動するためのクロック信号の送出、印字部６への画情報の送出を行う。
計時部１０５は、後述するように制御動作に必要となる各種時間を測定するものであり、測定した各時間が記憶部９へ与えられ、記憶される。
リンガー音発生部１０６は、呼び出し音を生成するものであり、上記着信検出部１４が回線２０からの着信信号を検出した際に、呼び出し音を生成し、ＤＡＣ回路１５に呼び出し音を与え、クロスポイントＩＣ回路１１を介してスピーカ１６へ呼出音を送出する。
符号化・復号化部１０７は、送信すべき画信号をＭＨ、ＭＲ、ＭＭＲなどの圧縮信号に符号化するとともに、受信した圧縮信号を元の画信号に復号化する。
モデム１０８は、回線２０からスイッチ１２、クロスポイントＩＣ回路１１、ＤＡＣ回路１５を経て入力されるファクシミリ制御信号（ＣＮＧ信号、ＣＦＤ信号、ＤＩＳ信号等）を検出する機能と、上記制御信号をＤＡＣ回路１５、クロスポイントＩＣ回路１１、スイッチ１２を経て回線２０へ送出する機能と、画情報の変復調を行う機能と、着信時に交換器（図示せず）から送られてくる発呼側の電話番号を検出する機能と、を有している。
上記したように、クロスポイントＩＣ回路１１は、ファクシミリ機能制御装置１の制御の下で回線２０をモデム１０８側、ハンドセット８側、上記モデム１０８側又はハンドセット８側のいずれのラインとも接続しない状態に切換接続する。尚、上記クロスポイントＩＣ回路１１は、待機状態の際には、ハンドセット側をスイッチ１２側へ接続している。
ダイヤラ１０９は、発呼時にダイヤル信号を生成するもので、ダイヤル信号をＤＡＣ回路１５、クロスポイントＩＣ回路１１、スイッチ１２を経て回線２０へ送出する。
【００１９】
次に、本実施例装置の発呼時の動作について説明する。図５は本実施例装置の動作を示すフロー図である。図５のＳ１ステップにおいて、ファクシミリ情報制御装置１は、操作部４から電話番号の入力があると判定すると、Ｓ２ステップにおいて内部のタイマ（図示せず）による所定時間（例えば４０秒）のカウントの開始を行い、Ｓ３ステップへ処理を進める。
【００２０】
Ｓ３ステップでは、ファクシミリ情報制御装置１は、ハンドセット２００の通話キー２０１が押下されたか否かを判定する。具体的には、ファクシミリ情報制御装置１は、送受信部２０からハンドセット２００から通話キー２０１の押下信号を受信したことを示す信号を検出すると、ハンドセット２００の通話キー２０１が押下されたと判定し、Ｓ４ステップへ処理を進める。一方、そうでなければＳ５ステップへ処理を進める。
【００２１】
Ｓ４ステップでは、ファクシミリ情報制御装置１は、Ｓ１ステップで入力された電話番号を回線Ｌに送出し発呼動作が終了する。
【００２２】
Ｓ５ステップでは、ファクシミリ情報制御装置１は、Ｓ２ステップでカウントを開始したタイマが所定時間のカウントを終了したと判定するとＳ６ステップへ処理を進め、そうでなければＳ８ステップへ処理を進める。
【００２３】
Ｓ６ステップでは、ファクシミリ情報制御装置１は、スピーカ１６からアラーム音を鳴動させてＳ７ステップで発呼処理を中止し、通常の待受状態になる。
【００２４】
Ｓ８ステップでは、ファクシミリ情報制御装置１は、ストップキー４４が押下されたと判定するとＳ７ステップへ処理を進め、そうでなければＳ３ステップへ処理を戻す。
以上説明したように、本実施例装置では、親機１００とハンドセット２００とが無線により接続可能であるために、ユーザはカールコードを気にせずに通話を行うことが可能である。又、ユーザが発呼を行う際に親機１の操作部４を操作することにより電話番号の入力を行い、続いてハンドセット２００の通話キー２０１を操作することにより、親機１００で入力された電話番号へ発呼を行うことができる。この為、親機１００には発呼キーを搭載する必要がなく、低コストで電話装置（電話機能付ファクシミリ装置等も含む）を実現することが可能である。
又、ハンドセット２００には通話キー２０１と切キー２０２の２つのキーのみ搭載されているため、ユーザが誤ってハンドセット２００のキーを押下することにより誤動作となるといった問題を回避することが可能である。尚、この誤動作は子機の中央部分にテンキーを配置したタイプに起こりやすい。と言うのも、ユーザが子機を挟持した際にユーザの親指が子機のテンキー部分に当接してしまうからである。これに対して本実施例装置では、ハンドセット２００の溝部２０６には通話キー２０１と切キー２０２以外にキーが配置されていない為に、このような誤動作が発生しないという顕著な効果を奏するものである。
尚、本実施例装置では、電話機能付ファクシミリ装置について実施したが、留守番電話装置やＶＯＩＰ（Voice over internet protocol）電話機等の電話装置についても同様に実施可能である。
【図面の簡単な説明】
【００２５】
【図１】本実施例装置の外観図である。
【図２】子機２００の正面図と側面図である。
【図３】本実施例装置の親機１００のブロック図である。
【図４】本実施例装置のファクシミリ情報制御装置１のブロック図である。
【図５】本実施例装置の動作を示すフロー図である。
【符号の説明】
【００２６】
１      ファクシミリ情報制御装置
４      操作部
１９    アンテナ
２０    送受信部
４１    テンキー
４３    ファクス／コピーキー
４４    ストップキー
１００  親機
２００  ハンドセット
２０１  通話キー
２０２  切キー
２０５  平面部
２０６  溝部
２０７  傾斜部
【図１】
2010035064.tif 000003
【図２】
2010035064.tif 000004
【図３】
2010035064.tif 000005
【図４】
2010035064.tif 000006
【図５】
2010035064.tif 000007